(57)【要約】【課題】高い清浄度でウェブを洗浄する。【解決手段】表面に洗浄液が供給される洗浄ローラ５に、当該洗浄ローラ５上に形成される洗浄液の液膜を介してウェブ２を巻装させた状態で、当該ウェブ２が搬送させられ、洗浄ローラ５の周速度とウェブ２の搬送速度とが異なる速度に制御される。これにより、洗浄ローラ５とウェブ２との間に、大きな速度勾配を持った液流を有する薄い液膜が容易に形成され得る。かかる液流により、ウェブ２へのダメージを抑えて、効果的に異物がウェブ２から除去される。【選択図】図１
2011255343.tif 000002
【特許請求の範囲】
【請求項１】
表面に洗浄液が供給される洗浄ローラと、
前記洗浄ローラに、当該洗浄ローラ上に形成される前記洗浄液の液膜を介してウェブを巻装させた状態で、当該ウェブを搬送する搬送手段と、
前記洗浄ローラの周速度と前記ウェブの搬送速度とを異なる速度に制御する制御手段と、
を有することを特徴とするウェブの洗浄装置。
【請求項２】
前記洗浄ローラの少なくとも一部が洗浄液に浸漬していることを特徴とする請求項１に記載のウェブの洗浄装置。
【請求項３】
前記ウェブは、前記洗浄液の外で前記洗浄ローラに前記液膜を介して巻装されて、搬送されることを特徴とする請求項２に記載のウェブの洗浄装置。
【請求項４】
前記洗浄ローラの表面に向けて洗浄液を送出することにより前記洗浄ローラの表面に洗浄液を供給する洗浄ノズルを備えることを特徴とする請求項１〜３のいずれか１項に記載のウェブの洗浄装置。
【請求項５】
前記洗浄ローラの回転方向と前記ウェブの搬送方向とは逆方向に設定されることを特徴とする請求項１〜４のいずれか１項に記載のウェブの洗浄装置。
【請求項６】
表面に洗浄液が供給される洗浄ローラに、当該洗浄ローラ上に形成される前記洗浄液の液膜を介してウェブを巻装させた状態で、当該ウェブを搬送する搬送ステップと、
前記洗浄ローラの周速度と前記ウェブの搬送速度とを異なる速度に制御する制御ステップと、
を有することを特徴とするウェブの洗浄方法。
【請求項７】
前記搬送ステップにおいて、前記洗浄ローラの周速度と前記ウェブの搬送速度とが初期において同じ速度となるように上昇させられた後に、前記ウェブが前記洗浄ローラの表面から前記液膜を介して浮上し、
前記制御ステップにおいて、前記ウェブが前記洗浄ローラの表面から前記液膜を介して浮上した状態で、前記洗浄ローラの周速度と前記ウェブの搬送速度とが異なる速度となるように制御されることを特徴とする請求項６に記載のウェブの洗浄方法。
【発明の詳細な説明】
【技術分野】
【０００１】
本発明は、プラスチックフィルム、ガラスフィルム、金属フィルム等のウェブの洗浄装置および方法に関する。
【背景技術】
【０００２】
プラスチックフィルム、ガラスフィルム、金属フィルム等の各種ウェブは、ＦＰＤ（フラットパネルディスプレイ）分野、エレクトロニクス分野、光学用分野等の様々な分野で使用されている。プラスチックフィルムは、製膜、塗工、貼合等の工程を経て、部材や、プロセス材として使用される。例えば、液晶ディスプレイ、プラズマディスプレイ、有機ＥＬディスプレイ、ＳＥＤ、ＣＲＴ等の製品において、機能性光学用プラスチックフィルムが使用されている。また、リチウムイオン電池等の製品において、銅箔やアルミ箔等の金属フィルム（金属箔）が使用されている。
【０００３】
このようなウェブの製造工程においては、終始クリーンな環境下での取り扱いが必須であり、埃、繊維、フィルム粕等の異物の製品への混入や付着等の欠陥、及びそれらに起因するキズ、押し跡等の物理的欠陥の発生は厳重に管理されている。また、欠陥の程度についても、従来問題とされなかった非常に微細な欠陥が許容されなくなってきており、改善が要請されている。
【０００４】
このような問題を解消するため、近年では、プラスチックフィルム等のウェブを洗浄することにより、ウェブ上の異物を除去する取組みが行われている。
【０００５】
例えば、下記特許文献１では、超音波発生ノズルを有し、この超音波発生ノズルから噴出されるエアによる気流と超音波による振動とによって、フィルム上の塵埃を除去する洗浄ノズルが提案されている。
【０００６】
また、下記特許文献２では、洗浄手段が洗浄ノズルから連続して洗浄液を噴霧し、洗浄液再循環手段が落下した洗浄液を再循環させ、乾燥手段が連続して温風を吹き付ける光学用プラスチックフィルムの洗浄・乾燥方法が提案されている。
【先行技術文献】
【特許文献】
【０００７】
【特許文献１】特開平１１−２３９７６１号公報
【特許文献２】特開２００２−２９２３４７号公報
【発明の概要】
【発明が解決しようとする課題】
【０００８】
しかしながら、特許文献１に記載の技術では、吹き付けたエアによって剥離した塵埃が付近に散乱して、フィルムに再付着する虞があり、また、フィルムに強固に付着したものについては十分に除去できないという問題がある。
【０００９】
また、特許文献２に記載の技術では、洗浄液としてアルコール、エステル等を使用した場合には、プラスチックフィルムの可塑剤が溶出して、フィルム特性の変化と均一性の低下を招くことが問題となる。また、ロールまたはバーによるスキージングのみでは洗浄液を十分除去できず、生産性が低いという問題もある。
【００１０】
このように特許文献１および２に記載の技術では、フィルムを洗浄しても、フィルムの表面に付着した非常に微細な異物を良好に除去することができないという問題があった。
【００１１】
本発明は、上記課題に鑑みてなされたものであり、高い清浄度でウェブを洗浄することが可能なウェブの洗浄装置および方法を提供することを目的とする。
【課題を解決するための手段】
【００１２】
上記目的を達成すべく、本発明に係るウェブの洗浄装置は、表面に洗浄液が供給される洗浄ローラと、前記洗浄ローラに、当該洗浄ローラ上に形成される前記洗浄液の液膜を介してウェブを巻装させた状態で、当該ウェブを搬送する搬送手段と、前記洗浄ローラの周速度と前記ウェブの搬送速度とを異なる速度に制御する制御手段と、を有することを特徴とする。
【００１３】
また、上記目的を達成すべく、本発明に係るウェブの洗浄方法は、表面に洗浄液が供給される洗浄ローラに、当該洗浄ローラ上に形成される前記洗浄液の液膜を介してウェブを巻装させた状態で、当該ウェブを搬送するステップと、前記洗浄ローラの周速度と前記ウェブの搬送速度とを異なる速度に制御するステップと、を有することを特徴とする。
【発明の効果】
【００１４】
本発明によれば、高い清浄度でウェブを洗浄することが可能になる。
【図面の簡単な説明】
【００１５】
【図１】本発明の一実施形態に係るウェブの洗浄装置の概略構成を示す断面図である。
【図２】本実施形態に係るウェブの洗浄装置の制御ブロック図である。
【図３】洗浄ローラとウェブとの間に形成される液膜について説明するための図である。
【図４】洗浄ローラとウェブとの間に形成される液流について説明するための図である。
【図５】本発明の他の実施形態に係るウェブの洗浄装置の概略構成を示す図である。
【図６】ウェブの洗浄装置の変形例の概略構成を示す図である。
【発明を実施するための形態】
【００１６】
以下、本発明の実施形態について添付図面を参照して説明する。
図１は、本発明の一実施形態に係るウェブの洗浄装置１の概略構成を示す断面図、図２は、本実施形態に係るウェブの洗浄装置１の制御ブロック図である。なお、図１における各要素は、発明の理解を容易にするために適宜拡大、縮小または簡略化されて描かれており、実際とは異なる場合がある（以降の図面において同じ）。
【００１７】
図１に示すように、洗浄装置１は、ウェブ２を洗浄するための洗浄液４が収容されている洗浄槽３と、当該洗浄槽３内の洗浄液４に少なくとも一部が浸漬した洗浄ローラ５と、を有している。なお、洗浄ローラ５は、その全体が洗浄液４に浸漬していてもよい。また、洗浄槽３や洗浄ローラ５は、複数備えられていてもよい。本実施形態では、洗浄ローラ５の少なくとも一部が洗浄液４に浸漬させられ、好ましくはその状態で洗浄ローラ５を回転させることにより、洗浄ローラ５の表面に洗浄液４が供給される構成とされている。
【００１８】
また、本実施形態では、ウェブ２は、洗浄槽３に収容されている洗浄液４の中で洗浄ローラ５に液膜を介して巻装されて、後記の搬送手段により搬送されるように構成されている。
【００１９】
洗浄対象のウェブ２としては、例えば液晶ディスプレイ等に用いられるプラスチックフィルムが使用される。使用されるプラスチックフィルムの厚さは、５〜２０００μｍ、好ましくは１５〜５００μｍ、より好ましくは２０〜２００μｍの範囲内である。但し、本発明は、ガラスフィルム、金属フィルム等の他の種類のウェブにも適用可能である。
【００２０】
洗浄液４としては、特に限定されるものではないが、例えば、防錆剤を含む準水系の液体、超純水等が好ましくは使用される。このようにすれば、ウェブ２がプラスチックフィルムの場合であっても、品質が損なわれることはない。但し、ウェブ２が例えば銅箔やアルミ箔等の金属フィルムの場合には、当該金属と反応するものでなければ洗浄液にアルコール、エステル等が含まれていてもよい。
【００２１】
洗浄によりウェブ２から除去されるべき異物９（図４参照）は、ウェブ２の面に付着等して存在する埃、繊維、フィルム粕、汚れ等を含む概念であり、１０μｍ程度の微細な塵埃を含むものである。
【００２２】
図２に示すように、洗浄装置１は、ウェブ２が懸架され当該ウェブ２を搬送するための搬送ローラ７と、当該搬送ローラ７に回転駆動力を伝達するための搬送ローラ駆動用モータ８とを有している。ここで、搬送ローラ７と搬送ローラ駆動用モータ８とは、ウェブ２を搬送する搬送手段を構成する。また、洗浄装置１は、洗浄ローラ５に回転駆動力を伝達するための洗浄ローラ駆動用モータ６を有している。
【００２３】
さらに、洗浄装置１は、洗浄ローラ駆動用モータ６および搬送ローラ駆動用モータ８の動作を制御する制御手段１０を有している。具体的には、制御手段１０は、ウェブ２の洗浄時において、洗浄ローラ５の周速度とウェブ２の搬送速度とを所定の異なる速度に制御する。
【００２４】
洗浄装置１は、洗浄ローラ５上に形成される洗浄液の液膜を介して、ウェブ２を洗浄ローラ５に巻装させる状態を作り出すことができる。換言すれば、この状態において、洗浄ローラ５とウェブ２との間に液膜が介在する結果、洗浄ローラ５とウェブ２とは直接接触することはなく、すなわち非接触である。
【００２５】
図３は、洗浄ローラ５とウェブ２との間に形成される液膜について説明するための図である。説明の便宜上、図３は、図１とは異なる視点から見た図として描かれている。液膜の高さ（厚さ）は、下記式（１）（橋本、コンバーテック35巻8号、2007.8を参照）で表される浮上量ｈ０で与えられる。
【００２６】
【数１】
2011255343.tif 000003
【００２７】
ここで、ｈ０は浮上量（液膜の高さ）、Ｒはローラの半径、ηは水の粘性係数、Ｕｒはローラの周速度、Ｕｗはウェブの搬送速度、Ｔはウェブの張力を表す。
【００２８】
ウェブ２の搬送速度は、任意に選択でき（一般に顧客の要望によって決まる）、例えば１００ｍ／分程度の高速搬送にも対応可能である。この場合、洗浄ローラ５の周速度Ｕｒとウェブ２の張力Ｔとを調整することにより、１ｍｍ以下（例えば０．１〜０．５ｍｍ）といった非常に狭い洗浄ローラ５およびウェブ２間の隙間に、洗浄液４の液膜を発生させることが可能である。つまり、洗浄ローラ５およびウェブ２間に浮上量ｈ０の寸法を持つ隙間を生じさせ、その隙間に洗浄液４の液膜を発生させることが可能である。
【００２９】
洗浄ローラ５の少なくとも外層は、錆びずに形状を保持できる観点から、例えばＳＵＳ３０４等のステンレス鋼により形成されることが好ましい。また、洗浄ローラ５およびウェブ２を相互にスリップさせてウェブ２を洗浄ローラ５の表面から浮上させ易くするために、洗浄ローラ５の外周面は、表面粗さが小さくなるように研磨加工が施されていることが好ましい。
【００３０】
次に、上記のように構成された洗浄装置１の動作について説明する。初期において、制御手段１０は、洗浄ローラ駆動用モータ６と搬送ローラ駆動用モータ８とを制御して、洗浄ローラ５の周速度とウェブ２の搬送速度とが同じになるように、洗浄ローラ５と搬送ローラ７とを徐々に回転させる。そして、ウェブ２が洗浄ローラ５の表面から浮上した状態になると、制御手段１０は、洗浄ローラ５の回転速度を徐々に変化させて、ウェブ２の洗浄時において、洗浄ローラ５の周速度とウェブ２の搬送速度とを所定の異なる速度に制御する。
【００３１】
すなわち、洗浄ローラ５の周速度とウェブ２の搬送速度とが初期において同じ速度となるように上昇させられた後に、ウェブ２が洗浄ローラ５の表面から液膜を介して浮上し、次いで、ウェブ２が洗浄ローラ５の表面から液膜を介して浮上した状態で、洗浄ローラ５の周速度とウェブ２の搬送速度とが異なる速度となるように制御される。これにより、ウェブ２がダメージを受けにくくなる。この場合において、初めは、洗浄ローラ５とウェブ２とを同方向に回転させ、順次、洗浄ローラ５の回転を変化させて逆転させること（正転→停止→逆転）が可能である。ウェブ２の洗浄時には、ウェブ２は、一定の張力Ｔがかけられると共に、一定速度Ｕｗで搬送される。
【００３２】
本実施形態では、図１および図３に示すように、ウェブ２の洗浄時において、洗浄ローラ５の回転方向とウェブ２の搬送方向とは逆方向に設定される。
【００３３】
図４は、洗浄ローラ５とウェブ２との間に形成される液流について説明するための図である。洗浄ローラ５の周速度とウェブ２の搬送速度とが異なるため、洗浄ローラ５とウェブ２との間の流体に生じる粘性によって、クエット流と呼ばれる定常流が生じる。流れが層流の形に保たれる場合、流速は、図中矢印で示すように両者間で直線的に変化する速度勾配を有している。
【００３４】
図４に示すように、本実施形態の洗浄装置１によれば、洗浄ローラ５とウェブ２との間に、ウェブ２の表面に対して平行な液流が形成される。かかる液流によって、ウェブ２に付着した異物９に下記式（２）（富樫他、日本機械学会論文集69巻677号(2003-1)を参照）で表される水平方向の力Ｆdetが働き、異物９を除去する。
【００３５】
【数２】
2011255343.tif 000004
【００３６】
ここで、Ｆdetは異物に働く力、ｄは異物の直径、ｕは水流の速度、ηは水の粘性係数、ｃは補正係数を表す。また、ｚはウェブ表面からの垂直方向の距離、(du/dz)wは該垂直方向における速度勾配を表す。
【００３７】
ウェブ２の表面においては、液流の速度はウェブ２の搬送速度と同じであり、異物９はウェブ２に付着して共に運ばれるため、洗浄液４と異物９との相対速度は０である。したがって、異物９に働く剥離力を大きくするためには、式（２）からもわかるように、速度勾配(du/dz)wを極力大きくする必要がある。
【００３８】
なお、図４は、洗浄ローラ５の回転方向とウェブ２の搬送方向とが逆方向の場合の液流を示している。このようにすれば、大きな速度勾配を持った液流を有する薄い液膜が発生し易くなると考えられる。但し、本発明は、洗浄ローラ５の回転方向とウェブ２の搬送方向とが同方向の場合にも適用可能である。このようにすれば、制御手段１０による速度制御が簡単で済むとともに、液膜が十分形成されていないときでも、洗浄ローラ５とウェブ２とが擦れることによるダメージを受けにくい。さらには、本発明は、洗浄ローラ５が非回転で固定されている場合にも適用可能である。この場合でも、ウェブ２を所定速度で搬送することにより、洗浄ローラ５とウェブ２との間に、所定の速度勾配を持った液流を有する液膜を形成することが可能である。
【００３９】
前述したように、ウェブ２は、洗浄液４の中で洗浄ローラ５に液膜を介して巻装されて、搬送される。さらには、搬送開始の前に、ウェブ２は既に洗浄液４に浸かっている。このため、ウェブ２の搬送開始時に、当該ウェブ２にダメージを受けにくいという利点がある。
【００４０】
図１に示すように、洗浄槽３内の洗浄液４は、およそ洗浄ローラ５の軸方向長さの範囲内において、ウェブ２によって液膜の部分とそれ以外の部分とに区画される。したがって、液膜部分の液流の速度分布によっては、洗浄ローラ５のウェブ２に対する近接開始側（図中左側）か、洗浄ローラ５のウェブ２に対する離反開始側（図中右側）かのいずれかの液膜部分において、洗浄液４が引き込まれる結果、洗浄ローラ５の軸方向中央部付近の洗浄液４が少なくなる虞がある。この場合、洗浄液４が洗浄ローラ５の軸方向端部付近から流れ込むことができるものの、軸方向中央部付近の洗浄液４の不足を解消することは困難である。これを解消するために、図示しない洗浄液供給手段が、図中上方から洗浄ローラ５とウェブ２との間の洗浄液が不足している箇所に、洗浄液を供給するように構成されることが望ましい。
【００４１】
以上述べたように、本実施形態では、表面に洗浄液が供給される洗浄ローラ５に、当該洗浄ローラ５上に形成される洗浄液の液膜を介してウェブ２を巻装させた状態で、当該ウェブ２が搬送させられ、洗浄ローラ５の周速度とウェブ２の搬送速度とが異なる速度に制御される。
【００４２】
このように本実施形態によれば、洗浄ローラ５とウェブ２との間に、ウェブ２の表面に平行な液流を有する液膜を形成することができる。また、洗浄ローラ５の周速度とウェブ２の搬送速度とが異なる速度に制御されているため、液流は所定の速度勾配を有することになる。したがって、洗浄ローラ５とウェブ２との間に、大きな速度勾配を持った液流を有する薄い液膜が容易に形成され得る。かかる液流により、ウェブ２へのダメージを抑えて、効果的に異物９をウェブ２から除去することができる。このようにして高い清浄度でウェブ２を洗浄することが可能になる。また、薄い液膜を利用した洗浄であるため、洗浄液の使用量も少なくて済み、コストの低減が図られる。
【００４３】
図５は、本発明の他の実施形態に係るウェブの洗浄装置１ａの概略構成を示す図である。図１に示した実施形態と同様の構成および作用は、この実施形態に取り込まれるものとして詳細な説明を省略し、図１に示した実施形態と相違する構成および作用について重点的に説明する。なお、図５において、図１に示した実施形態と機能が共通する部材には同一の符号を付してある。
【００４４】
この実施形態では、ウェブ２は、洗浄槽３に収容されている洗浄液４の外で洗浄ローラ５に液膜を介して巻装されて、搬送されるように構成されている。この場合、洗浄ローラ５の回転により、洗浄液４が洗浄ローラ５上に乗って洗浄槽３から引き上げられ、その結果、洗浄ローラ５とウェブ２との間に運ばれる。
【００４５】
この実施形態によっても、洗浄ローラ５とウェブ２との間に、大きな速度勾配を持った液流を有する薄い液膜を容易に形成することができ、図１に示した実施形態と同様の効果を奏することができる。また、この実施形態によれば、図１に示した実施形態のような洗浄ローラ５の軸方向中央部付近において洗浄液４が少なくなる虞はないため、洗浄液供給手段を別途設ける必要はない。したがって、例えば幅寸法が大きいウェブ２を洗浄する必要が生じた場合にも、柔軟に対応することができる。
【００４６】
図５は、洗浄ローラ５の回転方向とウェブ２の搬送方向とが逆方向の場合の液流を示している。但し、図１に示した実施形態と同様に、本発明は、図５において洗浄ローラ５の回転方向とウェブ２の搬送方向とが同方向の場合にも適用可能である。さらには、本発明は、図５において洗浄ローラ５が非回転で固定されている場合にも適用可能である。但し、図５の場合において洗浄ローラ５が非回転であると、洗浄液４を洗浄ローラ５とウェブ２との間に運べない。このため、図示しない洗浄液供給手段としての洗浄ノズルが、洗浄ローラ５とウェブ２との間の洗浄ローラ５の表面に向けて洗浄液を送出することにより、洗浄ローラ５の表面に洗浄液４を供給するように構成する必要がある。このような洗浄ノズルを使用する場合には、洗浄ローラ５を洗浄液４に浸漬させる必要は必ずしもない。
【００４７】
なお、図６に示すように、洗浄ローラ５を回転させる場合においても、洗浄ローラ５の表面に向けて洗浄液を送出する洗浄ノズル１１を使用することが可能である。この場合、洗浄液４が洗浄ローラ５上に乗って効果的に洗浄ローラ５とウェブ２との間に運ばれるように、洗浄ローラ５およびウェブ２の最近接点よりも洗浄ローラ５の回転方向上流側に配置された洗浄ノズル１１から、洗浄ローラ５の表面に向けて洗浄液４を送出するように構成することが好ましい（図６（ａ）（ｂ）参照）。
【００４８】
以上、本発明のウェブの洗浄装置および方法について、実施形態に基づいて説明したが、本発明は、上記実施形態に記載した構成に限定されるものではなく、各実施形態に記載した構成を適宜組み合わせる等、その趣旨を逸脱しない範囲において適宜その構成を変更することができるものである。
【００４９】
例えば、制御手段１０は、ウェブ２の洗浄時において、洗浄ローラ５の周速度とウェブ２の搬送速度とを所定の異なる速度に制御するものであるが、洗浄ローラ５の周速度およびウェブ２の搬送速度について、最終的な洗浄時の速度に達するまでの過渡的な速度制御の仕方は適宜変更可能である。
【符号の説明】
【００５０】
１，１ａ    洗浄装置
２    ウェブ
４    洗浄液
５    洗浄ローラ
７    搬送ローラ（搬送手段）
８    搬送ローラ駆動用モータ（搬送手段）
９    異物
１０    制御手段
１１    洗浄ノズル
【図１】
2011255343.tif 000005
【図２】
2011255343.tif 000006
【図３】
2011255343.tif 000007
【図４】
2011255343.tif 000008
【図５】
2011255343.tif 000009
【図６】
2011255343.tif 000010